(57)【要約】【課題】  ハウジングの薄型化とコンタクト端子のバネ性を両立した電気部品用ソケットを提供すること。【解決手段】  底面５２に複数の接触部５４を有する電気部品５０が装着される上方に開放した箱状のハウジング１と、ハウジング１に複数設けられるものであって電気部品５０の接触部５４が当接する接続部１１を有した細板状のコンタクト端子１０とからなる電気部品用ソケットにおいて、コンタクト端子１０はハウジング１の側壁２に固定される固定部１２と、固定部１２の下端部からハウジング１の内側に向かって延出する第１端子部１３と、第１端子部１３から第１折り曲げ部１４を介してハウジング１の側壁２側上方に向かって延出する第２端子部１５と、第２端子部１５から第２折り曲げ部１６を介してハウジング１の内側上方に向かって延出する第３端子部１７とを備え、第３端子部１７の先端に接続部１１が形成されてなる。【選択図】  図３
2006202496.tif 000002
【特許請求の範囲】
【請求項１】
底面に複数の接触部を有する電気部品が装着される上方に開放した箱状のハウジングと、該ハウジングに複数設けられるものであって上記電気部品の接触部が当接する接続部を有した細板状のコンタクト端子とからなる電気部品用ソケットにおいて、
上記コンタクト端子は上記ハウジングの側壁に固定される固定部と、該固定部の下端部から上記ハウジングの内側に向かって延出する第１端子部と、該第１端子部から第１折り曲げ部を介して上記ハウジングの側壁側上方に向かって延出する第２端子部と、該第２端子部から第２折り曲げ部を介して上記ハウジングの内側上方に向かって延出する第３端子部とを備え、該第３端子部の先端に上記接続部が形成されてなることを特徴とする電気部品用ソケット。
【請求項２】
上記コンタクト端子の接続部は上記第１折り曲げ部より側壁側に配置されてなることを特徴とする請求項１記載の電気部品用ソケット。
【請求項３】
上記コンタクト端子の固定部は上記ハウジングの側壁に沿ってインサート成形されてなることを特徴とする請求項１または２記載の電気部品用ソケット。
【請求項４】
上記第１折り曲げ部と第２折り曲げ部はそれぞれ断面略半円状に折り返され弾性を有してなることを特徴とする請求項１〜３のいずれか１項に記載の電気部品用ソケット。
【発明の詳細な説明】
【技術分野】
【０００１】
本発明は、電気部品を装着する電気部品用ソケットに関し、特にハウジングを小型化してなる電気部品用ソケットに関する。
【背景技術】
【０００２】
従来、電気部品を納める電気部品用ソケットには複数のコンタクト端子が並置されており、電気部品がハウジングに装着された際に、コンタクト端子を電気部品の底面に有する接触部と接触させて電気接続するものが使用されている。電気部品の接触部とコンタクト端子とを確実に接触させるため、コンタクト端子の先端である接続部をバネ等の弾性部と連係し、弾性力によって接触部との接圧を確保する。このような電気部品用ソケットとしては、例えば特許文献１に挙げるようなものがある。
【特許文献１】実開平５−８７８７３号公報
【発明の開示】
【発明が解決しようとする課題】
【０００３】
しかし、従来の電気部品用ソケットにおいては、以下に述べる問題点を有していた。従来のコンタクト端子は電気部品の接触部との接触を確実にするため、側壁からハウジングの内側に向かってバネ部を形成し、その反力を利用して接続部の接圧を確保する。接圧確保を可能とするバネ部は側壁内に収容することになるので、側壁を厚くしなければならず、ハウジングの小型化は困難であった。一方、ハウジングの小型化のため側壁を薄くして、バネ部を有しないコンタクト端子とした場合には、コンタクト端子の接続部に反力を生じさせることができないので、電気部品の接触部との接圧を確保することができず、接触不良等の不具合を生じる。
【０００４】
本発明は上記課題を鑑みてなされたものであり、ハウジングの小型化とコンタクト端子の弾性を両立した電気部品用ソケットを提供することを目的とする。
【課題を解決するための手段】
【０００５】
上記課題を解決するため、本発明に係る電気部品用ソケットは、底面に複数の接触部を有する電気部品が装着される上方に開放した箱状のハウジングと、該ハウジングに複数設けられるものであって上記電気部品の接触部が当接する接続部を有した細板状のコンタクト端子とからなる電気部品用ソケットにおいて、
上記コンタクト端子は上記ハウジングの側壁に固定される固定部と、該固定部の下端部から上記ハウジングの内側に向かって延出する第１端子部と、該第１端子部から第１折り曲げ部を介して上記ハウジングの側壁側上方に向かって延出する第２端子部と、該第２端子部から第２折り曲げ部を介して上記ハウジングの内側上方に向かって延出する第３端子部とを備え、該第３端子部の先端に上記接続部が形成されてなることを特徴として構成されている。
【０００６】
また、本発明に係る電気部品用ソケットは、上記コンタクト端子の接続部は上記第１折り曲げ部より側壁側に配置されてなることを特徴として構成されている。
【０００７】
さらに、本発明に係る電気部品用ソケットは、上記コンタクト端子の固定部は上記ハウジングの側壁に沿ってインサート成形されてなることを特徴として構成されている。
【０００８】
さらにまた、本発明に係る電気部品用ソケットは、上記第１折り曲げ部と第２折り曲げ部はそれぞれ断面略半円状に折り返され弾性を有してなることを特徴として構成されている。
【発明の効果】
【０００９】
本発明に係る電気部品用ソケットによれば、コンタクト端子はハウジングの側壁に固定される固定部の下端部からハウジングの内外方向に２回折り曲げて形成し、第３端子部の先端に接続部が形成されてなることにより、コンタクト端子が上下方向に伸縮自在な弾性を有し、従来の左右方向に伸縮自在とする場合に比べて、側壁内にバネ部を収容しなくてもよいことから側壁を薄くすることができ、電気部品の接触部との確実な接触を確保しつつ、ハウジングの小型化が可能となる。
【００１０】
また、本発明に係る電気部品用ソケットによれば、コンタクト端子の接続部は第１折り曲げ部より側壁側に配置されてなることにより、接続部の第２折り曲げ部による下方移動に伴う水平方向の移動を第１折り曲げ部で相殺することができるので、接続部と電気部品の接触部との接触不良や摩耗を防止することができる。
【００１１】
さらに、本発明に係る電気部品用ソケットによれば、コンタクト端子の固定部はハウジングの側壁に沿ってインサート成形されてなることにより、側壁を厚くすることなくコンタクト端子を容易にハウジングに固定することができる。
【００１２】
さらにまた、本発明に係る電気部品用ソケットによれば、第１折り曲げ部と第２折り曲げ部はそれぞれ断面略半円状に折り返され弾性を有してなることにより、接続部を下方移動自在に弾性支持することができるので、接続部を電気部品の接触部に確実に接触させることができる。
【発明を実施するための最良の形態】
【００１３】
本発明の実施形態について図面に添って詳細に説明する。図１は本実施形態における電気部品用ソケットと電気部品５０の斜視図、図２は本実施形態におけるハウジング１の平面図、図３はハウジング１と電気部品５０の関係を示した側面図、図４は図２のＡ−Ａ断面図である。これら各図に示すように、本実施形態における電気部品用ソケットは、電気部品５０が装着されるハウジング１と、ハウジング１に複数設けられるものであって、電気部品５０と回路基板（図示しない）とを電気接続可能とするコンタクト端子１０とから構成される。また、電気部品５０にはハウジング１に装着した状態でカバー部材４０が上方から装着される。
【００１４】
ハウジング１に装着される電気部品５０は、数ミリメートル四方のシリコンなどの半導体を加工して、多数の回路素子を組み込み電子回路として機能するようにしたものである。本実施形態において電気部品５０は、さらに光学部品を組み込んだカメラモジュールとしている。ただし、電気部品５０としてはカメラモジュールには限られない。
【００１５】
また、電気部品５０は、底面５２に複数の接触部５４、５４を有しており、ハウジング１に装着して接触部５４とコンタクト端子１０を接触させることで、電気部品５０の回路基板に対する電気接続が可能となる。電気部品５０の角部５３のうち１つには、側面５１から角部５３のさらに外方に向かって突出するように断面略Ｌ字状の突出部５６が形成されており、後述するハウジング１の案内部３０に配置される。また、電気部品５０の各側面５１には、後述するハウジング１の抜け止め部材２０の係合爪２２と係合する段状の被係合部５５がそれぞれ設けられている。
【００１６】
電気部品５０を収容するハウジング１は樹脂等の絶縁材料から形成されると共に、上方が開放した箱状に形成される。ハウジング１は、上方から電気部品５０が挿入され嵌め込まれることによって、電気部品５０が装着された状態となる。
【００１７】
また、図１及び図２に示すように、ハウジング１の角部４のうち１つには、電気部品５０の角部５３に形成された突出部５６を配置する案内部３０が形成されている。また、案内部３０が形成されている角部４以外の他の３つの角部４、４にはそれぞれ電気部品５０の突出部５６と干渉する規制部３１が形成されている。
【００１８】
案内部３０はハウジング１の側壁２上端に設けられて、電気部品５０の側面５１に形成された突出部５６を載置する。本実施形態においては、案内部３０の上端部はハウジング１の側壁と連続状に形成される。すなわち、電気部品５０は、電気部品５０の突出部５６の下面が側壁２の上端部まで挿入されるとハウジング１に装着されることになる。側壁２の上端部を案内部３０の上端部と連続状に形成することで、案内部３０を簡易な構成とすることができる。規制部３１は案内部３０を設けた角部４以外の３つの角部４の上端部から上方に突出する柱状に形成されており、ハウジング１の側壁２と一体的に構成されている。すなわち、規制部３１の上端部の高さは案内部３０の上端部の高さより高くなるように形成されている。
【００１９】
電気部品５０の向きをハウジング１に正しく合わせて挿入することにより、電気部品５０の突出部５６がハウジング１の案内部３０に配置される。図３は、電気部品５０を正しい向きとした場合と正しい向きとしていない場合それぞれの、ハウジング１と電気部品５０の関係を示した側面図である。
【００２０】
図３（ａ）は、電気部品５０を正しい向きでハウジング１に対して挿入した場合を示しており、この場合には電気部品５０の突出部５６がハウジング１の案内部３０に配置された状態となっており、電気部品５０はハウジング１に対して所定位置まで挿入されている。一方、図３（ｂ）は、電気部品５０を誤った向きでハウジング１に対して挿入しようとした場合を示している。電気部品５０を誤った向きとすると、ハウジング１の突出部５６に対応する位置には規制部３１が配置されており、この規制部３１と突出部５６が干渉して電気部品５０をそれ以上挿入することができないようにしている。
【００２１】
このように電気部品５０は、突出部５６を有する角部５３と案内部３０を設けた角部４とを対応させて挿入した場合にのみハウジング１に装着され、それ以外の向きではハウジング１の規制部３１と突出部５６が干渉してハウジング１に装着できないようにしている。したがって、電気部品５０を誤った向きでハウジング１に挿入することを防止できる。
【００２２】
本実施形態においては、突出部５６を電気部品５０の角部５３に、案内部３０及び規制部３１をハウジング１の角部４に、それぞれ形成した。しかし、案内部３０と規制部３１の位置については本実施形態に限られず、例えば、案内部３０をハウジング１の側壁２の中間位置に設け、それと対応して突出部５６を電気部品５０の側面５１の中間位置に設けるようにしてもよい。なお、本実施形態のように、突出部５６を電気部品５０の角部５３に、規制部３１を電気部品５０の角部５３に形成することで、ハウジング１のコンタクト端子１０等と干渉しにくいようにすることができ、より大きな突出部５６及び規制部３１を形成することができる。したがって、各規制部３１の強度を上げることができ、規制部３１と電気部品５０との衝突、または規制部３１と電気部品５０の突出部５６との衝突による規制部３１の変形や破損を防止することができる。
【００２３】
また、ハウジング１は、図１に示すように各側壁２にそれぞれ抜け止め部材２０を有している。抜け止め部材２０は、電気部品５０の装着した状態で、衝撃や落下等により電気部品５０がハウジング１から抜け外れることを防止するものであり、図４に示すように、ハウジング１に対して下方から取り付け自在な固定部２１と、電気部品５０の側面５１に設けられた段状の被係合部５５に対し係合する係合爪２２とから構成される。すなわち、ハウジング１と電気部品５０とを、係合爪２２及び固定部２１により上下方向からそれぞれ押えることで、電気部品５０の装着状態を維持することができる。また、ハウジング１は図４に示すように、底面３の側壁２近傍に貫通孔６を有している。
【００２４】
抜け止め部材２０の固定部２１は弾性を有した断面Ｕ字状に形成される。抜け止め部材２０は、固定部２１の係合爪２２側をハウジング１の貫通孔６に下方から挿入し、Ｕ字の両側で側壁２を弾性挟持することによってハウジング１に取り付けられる。また、固定部２１は外面に後述するカバー部材４０の突部４２と係合する凹部２３を有している。抜け止め部材２０の係合爪２２は固定部２１の上部に形成されて、電気部品５０の被係合部５５と係合する。係合爪２２は、図４に示すように固定部２１の上端部をハウジング１の内側方向に折り返しフック状に形成される。係合爪２１をフック状としたので、段状に形成された電気部品５０の被係合部５５に対し上方から引掛けることによって、電気部品５０を上方から押さえることができる。
【００２５】
抜け止め部材２０は下方から取付自在とされており、電気部品５０を上方から押さえるようにしたので、電気部品５０をハウジング１に強固に固定することができ、電気部品５０がハウジング１から抜け出ることが防止され、電気部品５０の破損や紛失を防止することができる。
【００２６】
本実施形態においては、ハウジング１の各側壁２にそれぞれ抜け止め部材２０を１つずつ設ける構成としたが、抜け止め部材２０の位置及び数については、電気部品５０のハウジング１に対する装着状態を維持可能であれば、位置及び数は限定されない。ただし、本実施形態では、各側壁２にそれぞれ１つずつ抜け止め部材２０を設けたので、バランス良く電気部品５０とハウジング１とを挟み込むことができる。
【００２７】
電気部品５０が装着されたハウジング１には、通電検査等の終了後カバー部材４０が上方から装着される。カバー部材４０は、図１に示すように電気部品５０を上方から覆うと共に、ハウジング１の外側面に係脱自在とされており、ハウジング１に装着することによって電気部品５０を覆い保護する。
【００２８】
また、カバー部材４０は側面にハウジング１の抜け止め部材２０に対応した位置に弾性片４１を有しており、弾性片４１の内面には突部４２が形成されている。カバー部材４０をハウジング１に装着すると、カバー部材４０の弾性片４１は対応する抜け止め部材２０の固定部２１を突部４２で押圧する。このため、抜け止め部材２０はハウジング１にさらに強く固定されることになり、電気部品５０の抜け止めが補強される。
【００２９】
また、カバー部材４０の固定部２１は外面に凹部２３を有しているので、カバー部材４０をハウジング１に装着すると弾性片４１の突部４２が固定部２１の凹部２３に係合し、カバー部材４０がハウジング１から外れにくくなる。本実施形態では固定部２１の外面に凹部２３を設ける構成としたが、カバー部材４０の突部４２と係合可能な形状であれば本実施形態には限定されず、例えば、固定部２１の外面に穴を形成してもよい。
【００３０】
ハウジング１に複数設けられるコンタクト端子１０は、金属等の導電性材料から形成され、その先端部に形成される接続部１１が電気部品５０の接触部５４と対応してハウジング１内に配置されるものである。接続部１１は接触部５４との接触を確実にするために上部を断面略半円状に形成されている。
【００３１】
また、コンタクト端子１０は、ハウジング１の側壁２内に固定される固定部１２と、固定部１２の下端部からハウジング１の内側に向かって延出する第１端子部１３と、第１端子部１３から第１折り曲げ部１４を介してハウジング１の側壁２側上方に向かって延出する第２端子部１５と、第２端子部１５から第２折り曲げ部１６を介してハウジング１の内側上方に向かって延出する第３端子部１７とを備え、第３端子部１７の先端に接触部１１が形成される。
【００３２】
コンタクト端子１０の固定部１２は、ハウジング１の側壁２に埋め込まれるようにインサート成形される。固定部１２によりコンタクト端子１０は側壁２に固定される。第１端子部１３と第２端子部１５と第３端子部１７は、図４に示すように、第１、第２折り曲げ部１４、１６によりそれぞれ折り返して形成され、第２、第３端子部１５、１７がそれぞれ所定角度を有して上方に向かって延出しているので、上下方向に伸縮自在なバネとして弾性を有する。また、コンタクト端子１０の接続部１１は第１折り曲げ部１４より側壁２側に配置されている。
【００３３】
第１折り曲げ部１４と第２折り曲げ部１６は、それぞれ断面略半円状に折り返されて弾性を有している。このため、電気部品５０の挿入による接続部１１の下方移動を弾性支持することができ、電気部品５０の接触部５４との接圧を確保することができるため、接続部１１と接触部５４とをより確実に接触させることができる。
【００３４】
図５は、電気部品５０がハウジング１内に装着された状態を示した断面図である。この図に示すように、電気部品５０が装着されるとコンタクト端子１０は下方に縮み、接続部１１と電気部品５０の接触部５４とが接触する。コンタクト端子１０の接続部１１は、電気部品５０の挿入によって下方に押される。
【００３５】
このとき、第３端子部１７の先端である接続部１１は、第２折り曲げ部１６を中心としてハウジング１の内側方向に移動しようとする。しかし、接続部１１は第１折り曲げ部１４よりもハウジング１の側壁２側に配置されているために、第２折り曲げ部１６は第１折り曲げ部１４を中心としてハウジング１の外側方向に移動する。すなわち、第２折り曲げ部１６と接続部１１のハウジング１内外方向の動きが打ち消し合い、結局接続部１１は略鉛直下方に移動する。このように、接続部１１を第１折り曲げ部１４よりも側壁２側に配置することによって、接続部１１を下方にのみ移動させることができる。これにより、電気部品５０の接触部５４との接触を確実にすることができると共に、接続部１１の変形、破損等の不具合の発生を防止することができる。
【００３６】
このようにバネ状に形成された各端子部を２回折り曲げて上下方向に伸縮自在としたため、ハウジング１の側壁２側にバネ状の構成を設ける必要がなく、接続部１１の接触を確保しつつ、ハウジング１の側壁２を薄くすることができる。したがって、ハウジング１の小型化が可能となる。また、ハウジング１の側壁２に固定される固定部１２は、ハウジング１の側壁２に沿ってインサート成形されることにより、側壁を厚くすることなくコンタクト端子１０を容易にハウジング１に固定することができる。
【００３７】
固定部１２の下端部からハウジング１の内側に向かって延出する第１端子部１３は、図４に示すようにハウジング１の下底面に下面が露出する。第１端子部１３は、下面を回路基板に半田付けされることによって、回路基板と電気部品５０との電気接続が可能となる。本実施形態においては、固定部１２によりコンタクト端子１０がハウジング１に固定されているので、第１端子部１３の下面全体を回路基板との接合面とすることができ、回路基板との接合強度を上げることができる。
【００３８】
以上、本発明の実施形態について説明したが、本発明の適用はこれら実施形態には限られず、その技術的思想の範囲内において様々に適用されうるものである。例えば、ハウジング１内に並置されるコンタクト端子１０の数は、本実施形態に限られず、より多くてもよいし、より少なくてもよい。また、各コンタクト端子１０の配置についても本実施形態には限られず、電気部品５０の接触部５４の配置に対応して変更可能である。
【図面の簡単な説明】
【００３９】
【図１】本実施形態における電気部品用ソケットと電気部品の斜視図である。
【図２】本実施形態におけるハウジングの平面図である。
【図３】ハウジングと電気部品の関係を示した側面図である。
【図４】図２のＡ−Ａ断面図である。
【図５】電気部品を装着した際のハウジングの断面図である。
【符号の説明】
【００４０】
１    ハウジング
２    側壁
３    底面
４    角部
１０    コンタクト端子
１１    接続部
１２    固定部
１３    第１端子部
１４    第１折り曲げ部
１５    第２端子部
１６    第２折り曲げ部
１７    第３端子部
２０    抜け止め部材
２１    固定部
２２    係合爪
２３    凹部
３０    案内部
３１    規制部
４０    カバー部材
４１    弾性片
４２    突部
５０    電気部品
５４    接触部
５５    被係合部
５６    突出部
【図１】
2006202496.tif 000003
【図２】
2006202496.tif 000004
【図３】
2006202496.tif 000005
【図４】
2006202496.tif 000006
【図５】
2006202496.tif 000007